(57)【要約】   【課題】屋根から軒樋に流れ込んだ雨水が飛散しても鼻板を濡らすことがなく取付やメンテナンスが容易にできる軒樋吊具を提供する。  【解決手段】軒樋吊具５０の吊具本体５３は上板５３ａと下板５３ｂと縦板５３ｃから成る。上板５３ａを覆うように、上部材５６ａと両側部材５６ｂと縦板５３ｃを挟む一対の下部材５６ｃとから成る保持台５６がスライド自在に装着される。上板５３ａの上面に複数の第一突起６４ａを備え、上部材５６ａの内面に第一突起６４ａに係合する第二突起６４ｂを備える。保持台５６に雨水の鼻板５１への浸入を防ぐ水切り板５７が上部材５６ａに保持具６５で固着される。保持具６５は水切り板５７を挟持する上保持板６６と下保持板６７から成り、下保持板６７は上端部６７ａに突起６７ｂを備え下端部６７ｃを上部材５６ａに固定される。上保持板６６の下端部６７ｃに長穴６６ｃが設けられ固着具６９で固着される。【選択図】  図２
2009102934.tif 000002
【特許請求の範囲】
【請求項１】
軒先の鼻板に固定される固定部材とこの固定部材に連結して軒樋を吊下げる略水平の吊具本体とで形成される軒樋吊具であって、
前記吊具本体は断面矩形形状の上板と下板が垂直な縦板と連結して断面Ｈ字形状に形成され、前記上板を覆うように上部材と両側部材と前記縦板を挟む一対の下部材とから成る断面略Ｃ字形状の保持台がスライド自在に装着され、この保持台に雨水が鼻板に浸入するのを防ぐ水切り板が固着され、
前記上板の上面に複数の第一突起を前記保持具のスライド方向に等間隔で備えるとともに、上部材の内面に一対の前記第一突起に係合する第二突起を備えることを特徴とする軒樋吊具。
【請求項２】
請求項１に記載の軒樋吊具であって、前記水切り板は前記保持台の上部材に保持具を介して固着され、この保持具は水切り板を挟持する上保持板と下保持板から成り、下保持板は下端部を前記水切り板の傾斜に合わせて上部材に固定されるとともに上端部に突起を備え、上保持板は上端部が自由端で下端部が上部材にボルト等の固着具で固着され、前記水切り板は長手方向の両端部に沿って上下位置調整用の穴を等間隔に複数備え一対の前記水切り板の各端部を前記穴の位置を合わせて重ねた状態で所望の重なった穴を前記突起に係合した後に上保持板を移動して下保持板との間に水切り板を挟んで固着するため、上保持板の下端部に前記固着具用の長穴が設けられることを特徴とする軒樋吊具。
【発明の詳細な説明】
【技術分野】
【０００１】
本発明は、建築物の軒先に取付けられる軒樋構造に関し、詳しくは、軒樋に落下する雨水が跳ね返っても鼻板を濡らすことがない軒樋吊具に関する。
【背景技術】
【０００２】
従来、軒樋に落下する雨水が跳ね返って鼻板を濡らすことにより鼻板が汚れることがあり、見栄えが悪く品質が損なわれるという問題があった。
【０００３】
この問題を解決する方法が特許文献１に開示されている。図６に示すように、特許文献１の軒樋２０が取付けられる屋根１１の軒先１０には野地板１２の上面に水切り板１３が設けられ、水切り板１３の下端部に建物の鼻板１５側に鋭角に折曲げて形成された折曲片１４を備える。
【０００４】
軒樋２０の断面形状は、前壁２１と後壁２２と底壁２３から成り、軒樋の前側に耳部２４と後側に耳部２５を備える。軒樋２０は軒樋吊具３０により軒先１０の下方に取付けられている。
【０００５】
軒樋吊具３０は、軒樋２０の開口部を横切る吊具本体３１と固定部材３２とからなり、この固定部材３２は鼻板１５に固定されている。軒樋吊具３０の吊具本体３１には中程に水平部分３３があり、この水平部分３３の前側から上方へ曲がる屈曲部３４を有する。そして、軒樋吊具３０の前後両側の端部で軒樋２０の前後両側の耳部２４、２５が保持されている。
【０００６】
水返し板４０は全面に図示しない多数の水切り孔４１を有し、その後側端部は上方へ鋭角に折曲げられて折曲部４２が形成されている。そして、水返し板４０の折曲部４２は水切り板１３の折曲片１４に掛止され、前側端部４３は軒樋吊具３０の屈曲部３４の隅に前下がりに載置される。
【０００７】
この水返し板４０によって雨水の跳ね上がりが防止されて雨水の跳ね上がりが少なくなるので、雨水が鼻隠し板に当たることがなくなるので建物の美観が損なわれることがない。
【特許文献１】特公平７−７６４８２号公報
【発明の開示】
【発明が解決しようとする課題】
【０００８】
ところが、屋根１１の軒先１０に設けられる水切り板１３は屋根の取付工程に合わせて取付ける必要があるので、屋根の取付作業に負担が掛かるという問題があった。さらに、経年変化で水切り板１３を取替える際に作業スペースが狭いため取替作業が困難であった。また、水返し板４０の折曲部４２は風によって水切り板１３の折曲片１４から外れ易い構造であった。
【０００９】
そこで、本発明はかかる従来技術の問題に鑑みなされたものであって、屋根から軒樋に流れ込んだ雨水が跳ね返って飛散しても鼻板を濡らすことがなく、取付やメンテナンスが容易にできる軒樋吊具を提供することを目的とする。
【課題を解決するための手段】
【００１０】
請求項１の発明は、軒先の鼻板に固定される固定部材とこの固定部材に連結して軒樋を吊下げる略水平の吊具本体とで形成される軒樋吊具であって、前記吊具本体は断面矩形形状の上板と下板が垂直な縦板と連結して断面Ｈ字形状に形成され、前記上板を覆うように上部材と両側部材と前記縦板を挟む一対の下部材とから成る断面略Ｃ字形状の保持台がスライド自在に装着され、この保持台に雨水が鼻板に浸入するのを防ぐ水切り板が固着され、前記上板の上面に複数の第一突起を前記保持具のスライド方向に等間隔で備えるとともに、上部材の内面に一対の前記第一突起に係合する第二突起を備えることを特徴としている。
【００１１】
請求項２の発明は、請求項１に記載の軒樋吊具であって、前記水切り板は前記保持台の上部材に保持具を介して固着され、この保持具は水切り板を挟持する上保持板と下保持板から成り、下保持板は下端部を前記水切り板の傾斜に合わせて上部材に固定されるとともに上端部に突起を備え、上保持板は上端部が自由端で下端部が上部材にボルト等の固着具で固着され、前記水切り板は長手方向の両端部に沿って上下位置調整用の穴を等間隔に複数備え一対の前記水切り板の各端部を前記穴の位置を合わせて重ねた状態で所望の重なった穴を前記突起に係合した後に上保持板を移動して下保持板との間に水切り板を挟んで固着するため、上保持板の下端部に前記固着具用の長穴が設けられることを特徴としている。
【発明の効果】
【００１２】
請求項１記載の発明によれば、前記吊具本体の前記上板を覆うように上部材と両側部材と前記縦板を挟む一対の下部材とから成る断面略Ｃ字形状の保持台がスライド自在に装着され、この保持台に雨水が鼻板に浸入するのを防ぐ水切り板が固着されるので、雨水が出来るだけ鼻板に当たらない位置まで保持台をスライドして水切り板を容易に移動できるので、屋根から軒樋に流れ込んだ雨水が跳ね返って飛散しても鼻板を濡らすことのない最適位置に水切り板を取付けることができる。また、水切り板を建物に直接取付けないので、水切り板の取付及び取外し等のメンテナンスが容易にできる。
【００１３】
さらに、前記上板の上面に複数の第一突起を前記保持台のスライド方向に等間隔で備えるとともに、上部材の内面に一対の前記第一突起に挟まれて係合する第二突起を備えるので、前記保持台をスライド調整した後に下降することにより第二突起を一対の前記第一突起の間に係合できるので前記保持台を簡単且つ確実に位置固定することができる。
【００１４】
請求項２の発明によれば、この保持具は、前記水切り板の一対の前記水切り板の各端部の穴の位置を合わせて重ねた状態で下保持板の上端部の前記突起に係合した後に、上保持板と下保持板との間に水切り板を挟んでボルト等の固着具で固着する。このとき、上保持板の下端部に長穴が設けられるので上保持板を移動して下保持板との間に水切り板を安定して確実に固着することができる。
【発明を実施するための最良の形態】
【００１５】
[軒樋吊具の構成]  
以下に、本発明の実施形態を図１〜図５に基づいて説明する。
【００１６】
図１、図２、図３、図４に示すように、本発明の軒樋吊具は建物の軒先に備える軒樋６０を吊下げる軒樋吊具５０である。軒樋吊具５０は軒先の鼻板５１に固定される固定部材５２とこの固定部材５２に連結して軒樋６０を吊下げる略水平の吊具本体５３とで形成される。吊具本体５３の中央領域は断面矩形形状の上板５３ａと下板５３ｂが垂直な縦板５３ｃと連結する断面Ｈ字形状である。吊具本体５３の先端に第一係止部５３ｄと固定部材５２に第二係止部５３ｅが設けられる。
【００１７】
軒樋６０は前壁６１と後壁６２と底壁６３から成る断面凹形状で、前壁６１は底壁６３から軒樋６０の外側に湾曲し、後壁６２は垂直で底壁６３は水平に形成される。後壁６２の上端部６２ａに軒樋６０の外部側に突出する後耳としての突起６２ｂを備え、前壁６１の上端部６１ａに軒樋６０の内部側に突出する前耳としての突起６１ｂを備える。
【００１８】
そして、軒樋６０の突起６１ｂと突起６２ｂを、軒樋吊具５０の第一係止部５３ｄと第二係止部５３ｅにそれぞれ係止して吊り下げられる。
【００１９】
軒樋６０と屋根５５の位置関係は、屋根５５の延長線上に軒樋６０の前壁６１の上端部６１ａが位置し、屋根５５の先端部５５ａの垂直下方に底壁６３の略中央部が位置する。
【００２０】
吊具本体５３の中央領域において、上板５３ａを覆うように上部材５６ａと両側部材５６ｂと縦板５３ｃを挟む一対の下部材５６ｃとから成る断面略Ｃ字形状の保持台５６がスライド自在に装着される。そして、吊具本体５３の上板５３ａの上面に複数の第一突起６４ａを保持台５６のスライド方向Ｓに等間隔Ｐで備えるとともに、上部材５６ａの内面に一対の第一突起６４ａに係合する一対の第二突起６４ｂを間隔Ｔ＝６×Ｐで備える。
【００２１】
この保持台５６に雨水が鼻板５１に浸入するのを防ぐ一対の水切り板５７が、保持台５６の上部材５６ａの表面に保持具６５を介して固着される。この保持具６５は水切り板５７を挟持する矩形板状の上保持板６６と下保持板６７から成り、下保持板６７は上端部６７ａに突起６７ｂを備え、下端部６７ｃを水切り板５７が据付けられる所定の傾斜角αに合わせて上部材５６ａに溶接固定される。さらに、矩形板状の補強材６８が上端部６７ａと上部材５６ａ間に固着される。
【００２２】
上保持板６６は上部材５６ａと同じ幅で傾斜角αに形成され、下端部６６ｂが水平状に形成され、上端部６６ａが自由端である。下端部６６ｂにボルト等の固着具６９がワッシャー６９ａを用いて上部材５６ａに固着されるが、このとき、下端部６６ｂに下保持板６７方向に長い位置調整用の長穴６６ｃが設けられるので、上保持板６６は水平方向Ｓ１に調整代を備えている。
【００２３】
図４に示すように、水切り板５７は長手方向の両端部５７ａに沿って上下位置調整用の穴５７ｂを等間隔Ｐ１で複数備える。そして、一対の各端部５７ａの穴５７ｂ位置を合わせて重ねた状態で、図２に示すように、水切り板５７の所望の重なった穴５７ｂを突起６７ｂに係合した後に、上保持板６６を水平方向Ｓ１に移動して下保持板６７との間に水切り板５７を挟んだ状態で固着具６９によって固着される。
【００２４】
軒樋と水切り板の材質は、ステンレス、アルミ、亜鉛メッキをした金属、あるいは軽量化や耐腐食性を考慮して例えば硬質塩化ビニール樹脂等の合成樹脂材料、或いは、金属板の両面に合成樹脂材料を被覆して形成される。保持台５６、保持具６５の材質はステンレスや亜鉛メッキをした金属が用いられる。
[軒樋吊具の作用]
【００２５】
水切り板５７の短手方向（高さ方向）の幅は任意に決定できて、保持台５６をスライド方向Ｓにスライドすることで水切り板５７を所望の位置に容易に配置できる。このため、種々の軒樋形状に対して水切り板５７を最適位置まで容易に移動して配置することができるので、屋根から軒樋に流れ込んだ雨水が跳ね返って飛散しても鼻板を濡らすことのない最適位置に水切り板を取付けることができる。
【００２６】
また、軒先に水切り板を設けないので、屋根の取付作業が容易になり、吊り金具の鼻板への取付け作業が水切り板に邪魔されないので吊り金具の取付け施工性が向上する。そして、水切り板を建物に直接取付けないので、水切り板の取付及び取外し等のメンテナンスが容易にできる。
【００２７】
保持台をスライド位置調整した後に、保持台を下降するだけで第二突起を一対の第一突起の間に係合できて保持台を簡単且つ確実に位置固定することができる。
【００２８】
さらに、図５に示すように、屋根５５の先端部５５ａの下方に従来型の水切り５１ａを設けると共に、本願発明の保持台５６をスライドして水切り板５７を水切り５１ａに近接配置することもできる。この方法であれば、両者の間に殆ど隙間が生じないので雨水が鼻板５１に流れることをさらに確実に防止できる。
【００２９】
以上、本発明の実施例を図面に基づいて説明したが、具体的な構成はこの実施例に限られるものではなく本発明の要旨を逸脱しない範囲の設計変更等があっても本発明に含まれる。
【００３０】
例えば、第二突起６４ｂは一対に限らず、一組だけ又は三組以上で形成してもよい。また、保持具６５は上保持板６６を省略して、水切り板５７の穴５７ｂを介してボルト等の固着具等で水切り板５７を下保持板６７に直接固着してもよい。
【００３１】
保持台５６を位置調整完了後に吊具本体５３に固着するための止めボルトを離脱可能に設けてもよい。保持台５６の下部材５６ｃを側部材５６ｂとは別体にしてボルトで固着可能としておけば、保持台５６を軒樋吊具５０に後付けできるので取付け時が任意に選べるので工程に余裕が生まれる。縦板５３ｃを挟む一対の下保持板６７の上端部６７ａの突起６７ｂは水切り板５７の穴５７ｂと等間隔Ｐ１で上下に複数備えてもよい。
【００３２】
軒樋６０の後壁６２の突起６２ｂは軒樋６０の内部側に備えてもよく、この場合、第二係止部５３ｅは吊具本体５３の後端に設けられる。
【図面の簡単な説明】
【００３３】
【図１】本発明の実施形態における、軒先の鼻板５１に取付けられた軒樋６０用の軒樋吊具５０に水切り板５７を備える保持台５６が取付けられた状態を示す軒樋吊具５０の一部断面視側面図である。
【図２】本発明の実施形態における、図１のＡ−詳細図である。
【図３】本発明の実施形態における、図１のＢ−Ｂ断面図である。
【図４】本発明の実施形態における、水切り板５７の長手方向の両端部５７ａに形成された上下位置調整用の穴５７ｂを合わせて重ねた状態を示す一対の水切り板５７の斜視図である。
【図５】本発明の実施形態における、水切り板５７を備える保持台５６と軒先に備える水切り５１ａとが併用された状態を示す一部断面視側面図である。
【図６】従来の、軒先の鼻板１５に取付けられた軒樋２０の軒樋吊具３０と水返し板４０を備える水切り板１３の状態を示す一部断面視側面図である。
【符号の説明】
【００３４】
５０  軒樋吊具
５１  鼻板
５３  吊具本体
５３ａ  上板
５３ｂ  下板
５３ｃ  縦板
５６  保持台
５６ａ  上部材
５６ｂ  側部材
５６ｃ  下部材
５７  水切り板
６４ａ  第一突起
６４ｂ  第二突起
６５  保持具
６６  上保持板
６６ｂ  下端部
６６ｃ  長穴
６７  下保持板
６７ａ  上端部
６７ｂ  突起
６７ｃ  下端部
６９  固着具
【図１】
2009102934.tif 000003
【図２】
2009102934.tif 000004
【図３】
2009102934.tif 000005
【図４】
2009102934.tif 000006
【図５】
2009102934.tif 000007
【図６】
2009102934.tif 000008